(57)【特許請求の範囲】
【請求項１】
挿入口から再生ユニット上に光ディスクを搬送する搬送手段と、該搬送手段により搬送された光ディスクを再生ユニットに降下させ保持する降下手段とにより、光ディスクをローディングする再生装置であって、
前記降下手段の動作の開始を指示する信号を生成し、生成した信号を前記降下手段に供給する信号供給手段と、
前記搬送手段による光ディスクの搬送と同期して移動し、前記信号供給手段を作動させる作動部材と、
前記作動部材を予め定められた初期位置に移動させる駆動手段と、
前記駆動手段を再生装置の電源投入時に動作させる制御手段と、を備え、
前記作動部材は、前記駆動手段によって初期位置に移動した後に、前記搬送手段により光ディスクが再生ユニット上に到達したタイミングで前記信号供給手段を作動させる、
ことを特徴とする再生装置。
【請求項２】
挿入口からターンテーブル上に光ディスクを搬送する搬送手段と、該搬送手段により搬送された光ディスクをターンテーブルに降下させ保持する降下手段とにより、光ディスクをローディングする再生装置であって、
前記降下手段の動作を開始させるスイッチと、
前記搬送手段による光ディスクの搬送と同期してスライド移動し、前記スイッチを押下するスライドバーと、
前記スライドバーを予め定められた初期位置に移動させる駆動手段と、
前記駆動手段を再生装置の電源投入時に動作させる制御手段と、を備え、
前記スライドバーは、前記駆動手段によって初期位置に移動した後に、前記搬送手段により光ディスクがターンテーブル上に到達したタイミングで前記スイッチを押下する、
ことを特徴とする再生装置。
【請求項３】
前記制御手段は、光ディスクが再生装置内に格納されていない状態を判別し、前記駆動手段を動作させる、
ことを特徴とする請求項１又は２に記載の再生装置。
【請求項４】
挿入口からターンテーブル上に光ディスクを搬送する搬送機構と、搬送機構により搬送された光ディスクをターンテーブルに降下させ保持する降下機構とにより、光ディスクをローディングするローディング方法であって、
再生装置の電源投入時に、搬送機構による光ディスクの搬送と同期してスライド移動するスライドバーを予め定められた初期位置に移動させる初期駆動ステップと、
前記初期駆動ステップにてスライドバーを初期位置に移動させた後に、挿入された光ディスクを、搬送機構を制御して搬送する搬送ステップと、
前記搬送ステップにて搬送された光ディスクがターンテーブル上に到達したタイミングで押下されるスイッチの信号に応答し、搬送機構を制御して光ディスクをターンテーブル上に降下させる降下ステップと、
を備えることを特徴とするローディング方法。
【請求項５】
挿入口からターンテーブル上に光ディスクを搬送する搬送機構と、搬送機構により搬送された光ディスクをターンテーブルに降下させ保持する降下機構とにより、光ディスクをローディングするローディング方法をコンピュータに実行させるためのプログラムを記録した記録媒体であって、
再生装置の電源投入時に、搬送機構による光ディスクの搬送と同期してスライド移動するスライドバーを予め定められた初期位置に移動させる初期駆動ステップと、前記初期駆動ステップにてスライドバーを初期位置に移動させた後に、挿入された光ディスクを、搬送機構を制御して搬送する搬送ステップと、前記搬送ステップにて搬送された光ディスクがターンテーブル上に到達したタイミングで押下されるスイッチの信号に応答し、搬送機構を制御して光ディスクをターンテーブル上に降下させる降下ステップと、を有するローディング方法をコンピュータに実行させるためのプログラムを記録したコンピュータ読み取り可能な記録媒体。
【発明の詳細な説明】
【０００１】
【発明の属する技術分野】
この発明は、記録媒体を安全にローディングすることのできる再生装置、ローディング方法及び記録媒体に関する。
【０００２】
【従来の技術】
音楽用ＣＤ（コンパクトディスク）等の普及に伴い、ＣＤプレーヤに代表されるディスク再生装置が最もポピュラーな音楽再生機器の１つとして広まっている。このようなディスク再生装置は、利用者がセットするＣＤをターンテーブル上に搬入するために種々のローディング機構が採用されている。
一例として、図８にディスクをトレイ等に載せることなく、搬入・排出するスロットインと呼ばれるローディング機構を採用した従来のディスク再生装置を示す。
【０００３】
このディスク再生装置１００は、図８（ａ）に示すように、正面の挿入口にディスク２がわずかに挿入されたことを検出すると、所定のディスク搬入機構を動作させ、ディスク２をターンテーブル１０１上まで搬入する。そして、ディスク２がターンテーブル１０１上まで達すると、ディスク再生装置１００は、所定のディスク昇降機構を動作させ、図８（ｂ）に示すように、ディスク２をターンテーブル１０１に保持、すなわちチャッキングする。
【０００４】
具体的に説明すると、ディスク再生装置１００は、ディスク２が挿入口に挿入されるとローディングセンサーがＯＮとなり、これにより搬入・排出用のモータがローディング方向に駆動する。このモータが駆動するのと同期して、ディスク昇降機構を動作させるダウンスイッチを押下するためのスライドバーも移動を始める。
そして、ディスク２がターンテーブル１０１上に到達した際に、スライドバーによりダウンスイッチが押下され、ディスク昇降機構が動作を開始し、ディスク２をターンテーブル１０１にチャッキングする。
【０００５】
このように、従来のスロットインタイプのディスク再生装置は、原則として、挿入口からターンテーブル上に的確に搬入し、そしてターンテーブルに保持することができる。
【０００６】
【発明が解決しようとする課題】
このような従来のスロットインタイプのディスク再生装置は、一般に、上述したようなスライドバーにより、ディスク昇降機構の動作を開始させるダウンスイッチが押下される構成となっている。そして、このスライドバーは、ディスク再生装置にディスクが格納されていない状態において、その初期位置が予め定められている。
すなわち、ディスクがターンテーブルに向けて移動するのと同期して、徐々にスライドバーがダウンスイッチに向けて移動し、ディスクがターンテーブル上に到達した際に、スライドバーがダウンスイッチを押下できるように、スライドバーの初期位置が定められている。
【０００７】
しかしながら、ディスク再生装置が出荷される際の運送等により、このスライドバーが、初期位置と異なる位置にずれてしまう場合がある。このようなスライドバーがずれてしまった状態で、ディスクをローディングすると、ディスクがターンテーブル上に到達するより前に、ダウンスイッチが押下されることとなる。そして、ディスクがローディング途中であるにもかかわらず、ディスク昇降機構の動作が開始されるため、ディスクが挿入口に挟まってしまい、ディスクが傷ついてしまうといった問題があった。
【０００８】
この発明は、上記実状に鑑みてなされたもので、記録媒体を安全にローディングすることのできる再生装置、ローディング方法及び記録媒体を提供することを目的とする。
【０００９】
【課題を解決するための手段】
上記目的を達成するため、本発明の第１の観点に係る再生装置は、
挿入口から再生ユニット上に光ディスクを搬送する搬送手段と、該搬送手段により搬送された光ディスクを再生ユニットに降下させ保持する降下手段とにより、光ディスクをローディングする再生装置であって、
前記降下手段の動作の開始を指示する信号を生成し、生成した信号を前記降下手段に供給する信号供給手段と、
前記搬送手段による光ディスクの搬送と同期して移動し、前記信号供給手段を作動させる作動部材と、
前記作動部材を予め定められた初期位置に移動させる駆動手段と、
前記駆動手段を再生装置の電源投入時に動作させる制御手段と、を備え、
前記作動部材は、前記駆動手段によって初期位置に移動した後に、前記搬送手段により光ディスクが再生ユニット上に到達したタイミングで前記信号供給手段を作動させる、
ことを特徴とする。
【００１１】
上記目的を達成するため、本発明の第２の観点に係る再生装置は、
挿入口からターンテーブル上に光ディスクを搬送する搬送手段と、該搬送手段により搬送された光ディスクをターンテーブルに降下させ保持する降下手段とにより、光ディスクをローディングする再生装置であって、
前記降下手段の動作を開始させるスイッチと、
前記搬送手段による光ディスクの搬送と同期してスライド移動し、前記スイッチを押下するスライドバーと、
前記スライドバーを予め定められた初期位置に移動させる駆動手段と、
前記駆動手段を再生装置の電源投入時に動作させる制御手段と、を備え、
前記スライドバーは、前記駆動手段によって初期位置に移動した後に、前記搬送手段により光ディスクがターンテーブル上に到達したタイミングで前記スイッチを押下する、
ことを特徴とする。
【００１３】
前記制御手段は、光ディスクが再生装置内に格納されていない状態を判別し、前記駆動手段を動作させてもよい。
【００１４】
上記目的を達成するため、本発明の第３の観点に係るローディング方法は、
挿入口からターンテーブル上に光ディスクを搬送する搬送機構と、搬送機構により搬送された光ディスクをターンテーブルに降下させ保持する降下機構とにより、光ディスクをローディングするローディング方法であって、
再生装置の電源投入時に、搬送機構による光ディスクの搬送と同期してスライド移動するスライドバーを予め定められた初期位置に移動させる初期駆動ステップと、
前記初期駆動ステップにてスライドバーを初期位置に移動させた後に、挿入された光ディスクを、搬送機構を制御して搬送する搬送ステップと、
前記搬送ステップにて搬送された光ディスクがターンテーブル上に到達したタイミングで押下されるスイッチの信号に応答し、搬送機構を制御して光ディスクをターンテーブル上に降下させる降下ステップと、
を備えることを特徴とする。
【００１６】
上記目的を達成するため、本発明の第４の観点に係る記録媒体は、
挿入口からターンテーブル上に光ディスクを搬送する搬送機構と、搬送機構により搬送された光ディスクをターンテーブルに降下させ保持する降下機構とにより、光ディスクをローディングするローディング方法をコンピュータに実行させるためのプログラムを記録した記録媒体であって、
再生装置の電源投入時に、搬送機構による光ディスクの搬送と同期してスライド移動するスライドバーを予め定められた初期位置に移動させる初期駆動ステップと、前記初期駆動ステップにてスライドバーを初期位置に移動させた後に、挿入された光ディスクを、搬送機構を制御して搬送する搬送ステップと、前記搬送ステップにて搬送された光ディスクがターンテーブル上に到達したタイミングで押下されるスイッチの信号に応答し、搬送機構を制御して光ディスクをターンテーブル上に降下させる降下ステップと、を有するローディング方法をコンピュータに実行させるためのプログラムを記録する。
【００１７】
【発明の実施の形態】
本発明の実施の形態にかかるディスク再生装置について、以下図面を参照して説明する。
【００１８】
図１は、この実施の形態に適用されるディスク再生装置の外観の一例を示す斜視図である。図１に示すディスク再生装置１は、正面の挿入口にディスク２がわずかに挿入されたことを検出すると、図示せぬディスク搬入機構を動作させ、ディスク２をターンテーブル上まで搬入する。そして、ディスク２がターンテーブル上まで達すると、ディスク再生装置１は、図示せぬディスク昇降機構を動作させ、ディスク２をターンテーブルにチャッキングする。
【００１９】
図２は、ディスク再生装置１における主要部品が配置されたシャーシを上部から見た模式図である。図２に示すように、シャーシ上には、センサ５１〜５４と、ターンテーブル５５とが配置されている。
【００２０】
センサ５１〜５４は、反射式光センサや透過式光センサからなり、それぞれの上部にディスク２が存在するか否かを検出する。具体的には、センサ５１がローディング開始検出センサであり、センサ５２，５３が８ｃｍディスク排出停止位置検出センサであり、センサ５４が１２ｃｍディスク排出停止位置検出センサである。
【００２１】
ターンテーブル５５は、図示せぬディスク搬入機構及びディスク昇降機構によりローディングされたディスク２を保持しつつ、所定の速度で回転する。
【００２２】
図３は、ディスク再生装置１におけるディスク搬入機構の一部を側部から見た模式図である。図３に示すように、ディスク搬入機構は、ダウンスイッチ５６と、スライドバー５７と、コイルバネ５８とを含んで構成される。
【００２３】
ダウンスイッチ５６は、マイクロスイッチ等からなり、スライドバー５７により押下された際に図示せぬディスク昇降機構の動作を開始させる。
【００２４】
スライドバー５７は、ディスク搬入機構における図示せぬモータの駆動と同期してスライド移動する。スライドバー５７は、モータ駆動によりディスク２がターンテーブル５５上に達した際に、ダウンスイッチ５６を押下する。
なお、スライドバー５７には、ディスク昇降機構の昇降動作をガイドする昇降ガイド溝５９が設けられている。
【００２５】
コイルバネ５８は、スライドバー５７をダウンスイッチ５６と離れるように付勢する。
【００２６】
図４は、上述の構造を有するディスク再生装置１の一例を示すブロック図である。図４に示すようにディスク再生装置１は、マイクロコンピュータ１０と、表示部２０と、ディスク駆動部３０と、キー入力部４０とから構成される。
【００２７】
マイクロコンピュータ１０は、ＲＡＭ１１と、ＲＯＭ１２と、クロック発生部１３と、ＣＰＵ１４と、表示駆動部１５と、Ｉ／Ｏポート１６とからからなり、ディスク再生装置１全体を制御する。なお、マイクロコンピュータ１０は、後述するローディング処理等において、ディスク搬入機構等の動作エラーを判別するために使用される図示せぬタイマ部も含んで構成される。
【００２８】
ＲＡＭ（Random Access Memory）１１は、ディスク２をディスク再生装置１内に格納した際に、ローディングしたディスク２の大きさ、例えば、１２ｃｍディスク又は８ｃｍディスクの区別を示す情報を記憶する。
【００２９】
ＲＯＭ（Read Only Memory）１２は、後述する初期イジェクト処理、ローディング処理及び、イジェクト処理等を実行するためのプログラムコードを予め記憶する。
【００３０】
クロック発生部１３は、水晶発振素子等からなり、所定周波数の動作クロックを発生させてＣＰＵ１４に供給する。
【００３１】
ＣＰＵ（Central Processing Unit）１４は、ＲＯＭ１２に記憶されたプログラムコードに従って、初期イジェクト処理、ローディング処理及び、イジェクト処理等を実行する。
【００３２】
表示駆動部１５は、液晶ドライバ等からなり、ＣＰＵ１４に制御され、所定のキャラクタ等を表示部２０に表示させる。
【００３３】
Ｉ／Ｏ（Input/Output）ポート１６は、ＣＰＵ１４から送られる動作指示等をディスク駆動部３０に出力し、ディスク２のローディングやイジェクト等を行う。また、Ｉ／Ｏポート１６は、キー入力部４０から送られる入力信号等を入力する。
【００３４】
表示部２０は、例えば、液晶表示パネル等からなり、表示駆動部１５により供給された情報に従って、キャラクタ等を表示する。
【００３５】
ディスク駆動部３０は、センサ入力部３１と、スイッチ入力部３２と、ロードミュート出力部３３と、ローディング出力部３４と、モータ３５とを含んで構成される。
【００３６】
センサ入力部３１は、上述の図２に示すセンサ５１〜５４から送られる信号を入力し、Ｉ／Ｏポート１６を介してＣＰＵ１４に供給する。
【００３７】
スイッチ入力部３２は、上述の図３に示すダウンスイッチ５６から送られる信号を入力し、Ｉ／Ｏポート１６を介してＣＰＵ１４に供給する。
【００３８】
ロードミュート出力部３３は、モータ３５の駆動を制御する。具体的にロードミュート出力部３３は、Ｉ／Ｏポート１６を介してＣＰＵ１４に制御され、「Ｈｉ」、「Ｌｏｗ」いずれかのレベルの出力信号を生成し、モータ３５に出力する。なお、ロードミュート出力部３３が「Ｈｉ」を出力すると、モータ３５が駆動し、一方、「Ｌｏｗ」を出力すると、モータ３５の駆動が停止する。
【００３９】
ローディング出力部３４は、モータ３５が駆動する際の駆動方向を制御する。具体的には、ローディング出力部３４も、Ｉ／Ｏポート１６を介してＣＰＵ１４に制御され、「Ｈｉ」、「Ｌｏｗ」いずれかのレベルの出力信号をモータ３５に出力する。なお、ローディング出力部３４が「Ｈｉ」を出力すると、モータ３５の駆動方向がイジェクト方向となり、一方、「Ｌｏｗ」を出力すると、駆動方向がローディング方向となる。
【００４０】
モータ３５は、ロードミュート出力部３３及びローディング出力部３４により制御され、所定の送りローラ等を駆動させることにより、ディスク２をローディングし、又はイジェクトする。
【００４１】
キー入力部４０は、再生キー４１、停止キー４２、ディスク排出キー４３等を含んで構成される。再生キー４１等は、利用者のキー操作に従った信号を生成し、生成した信号をＩ／Ｏポート１６を介してＣＰＵ１４に供給する。
【００４２】
以下、この発明の実施の形態にかかるディスク再生装置１の動作を、図面を参照して説明する。
まず、スライドバー５７の位置を初期位置に移動させる初期イジェクト処理について図５を参照して説明する。スライドバー５７は、ディスク再生装置１が出荷される際の運送等により、初期位置と異なる位置にずれてしまう場合がある。このようなスライドバー５７がずれてしまった状態で、ディスク２をローディングすると、ディスク２がターンテーブル５５上に到達するより前に、ダウンスイッチ５６が押下されることとなる。そのため、スライドバー５７の位置を初期位置に移動させる必要がある。
【００４３】
図５は、初期イジェクト処理を説明するためのフローチャートである。図５に示す初期イジェクト処理は、ディスク再生装置１にＡＣ電源が供給された後、利用者による最初の電源投入時に開始される。
【００４４】
まず、ＣＰＵ１４は、センサ入力部３１及びスイッチ入力部３２からディスクの格納状態を取得する（ステップＳ１１）。すなわち、ＣＰＵ１４は、センサ５１〜５４からの入力及び、ダウンスイッチ５６からの入力に従って、ディスク２の格納状態を取得する。
そして、ＣＰＵ１４は、ディスク２がディスク再生装置１に格納されているか否かを判別する（ステップＳ１２）。
【００４５】
ＣＰＵ１４は、ディスク２が格納されていると判別した場合、初期イジェクト処理を終了する。すなわち、ディスク２がディスク再生装置１に格納されている状態であれば、スライドバー５７の位置を初期位置に移動させる必要がなく、また、格納されたディスク２を利用者の意図に反してイジェクトしないために、初期イジェクト処理を終了する。
【００４６】
一方、ディスク２が格納されていないと判別した場合、ＣＰＵ１４は、イジェクト方向にモータ３５を駆動させる（ステップＳ１３）。すなわち、ＣＰＵ１４は、ロードミュート出力部３３及びローディング出力部３４を制御し、モータ３５をイジェクト方向に駆動させる。具体的に説明すると、ＣＰＵ１４は、ロードミュート出力部３３の出力を「Ｈｉ」にし、かつ、ローディング出力部３４の出力を「Ｈｉ」にすることにより、モータ３５をイジェクト方向に駆動させる。
【００４７】
ＣＰＵ１４は、モータ３５の駆動を所定時間継続させる（ステップＳ１４）。例えば、ＣＰＵ１４は、モータ３５のイジェクト方向の駆動を３秒間継続させる。このように、モータ３５をイジェクト方向に所定時間駆動させることにより、スライドバー５７の位置がずれていた場合であっても、初期位置に移動させることができる。
【００４８】
ＣＰＵ１４は、所定時間経過後、モータ３５の駆動を停止させる（ステップＳ１５）。すなわち、ＣＰＵ１４は、ロードミュート出力部３３の出力を「Ｌｏｗ」にし、モータ３５の駆動を停止させる。
【００４９】
このように、初期イジェクト処理により、スライドバー５７がずれてしまっていても、初期位置に戻すことができる。そして、後述するローディング処理によりディスク２がローディングされる際に、スライドバー５７が的確にダウンスイッチを押下することとなる。この結果、ディスク２が挿入口に挟まれることがなくなるため、ディスク２を安全にローディングすることができる。
【００５０】
次に、ディスク再生装置１が行うローディング処理について図６を参照して説明する。図６は、ディスク２を搬入し、ターンテーブル５５にチャッキングするローディング処理を説明するためのフローチャートである。図６に示すローディング処理は、上述の初期イジェクト処理が実行された後に、開始する。
【００５１】
まず、ＣＰＵ１４は、センサ５１がＯＮになるまで処理を待機する（ステップＳ２１）。すなわち、ＣＰＵ１４は、センサ入力部３１を介して、ローディング開始検出センサであるセンサ５１が、利用者によりディスク２が挿入口に挿入されたことを検出するまで処理を待機する。
【００５２】
ＣＰＵ１４は、センサ５１がＯＮとなったことを判別すると、エラータイマをセットする（ステップＳ２２）。すなわち、ＣＰＵ１４は、ディスク搬入機構の動作エラーを検出するための図示せぬタイマ部に所定時間をセットする。
【００５３】
ＣＰＵ１４は、ローディング方向にモータ３５を駆動させる（ステップＳ２３）。すなわち、ＣＰＵ１４は、ロードミュート出力部３３の出力を「Ｈｉ」にし、かつ、ローディング出力部３４の出力を「Ｌｏｗ」にすることにより、モータ３５をローディング方向に駆動させる。
【００５４】
ＣＰＵ１４は、ダウンスイッチ５６がＯＮとなったか否かを判別する（ステップＳ２４）。すなわち、ＣＰＵ１４は、スイッチ入力部３２を介して、モータ３５の駆動と同期したスライドバー５７のスライド移動によりダウンスイッチ５６が押下されたか否かを判別する。
【００５５】
ＣＰＵ１４は、ダウンスイッチ５６がＯＮでないと判別した場合、ステップＳ２２にてセットしたエラータイマがタイムアップとなったか否かを判別する（ステップＳ２５）。
【００５６】
ＣＰＵ１４は、タイムアップでないと判別した場合、上述のステップＳ２４に処理を戻す。一方、タイムアップであると判別した場合、ＣＰＵ１４は、モータ３５の駆動を停止させる（ステップＳ２６）。すなわち、ＣＰＵ１４は、ロードミュート出力部３３の出力を「Ｌｏｗ」にし、モータ３５の駆動を停止させる。
【００５７】
ＣＰＵ１４は、モータ３５の駆動を停止させると、表示部２０に所定のエラーメッセージ等を表示させ、ローディング処理を異常終了させる。
【００５８】
また、ステップＳ２４にて、ダウンスイッチ５６がＯＮであると判別した場合、ＣＰＵ１４は、モータ３５の駆動を停止させる（ステップＳ２７）。そして、スライドバー５７によりダウンスイッチ５６が押下されることにより、ディスク昇降機構が作動し、ディスク２をターンテーブル５５にチャッキングする。
【００５９】
ＣＰＵ１４は、センサ５１がＯＮであるか否かを判別する（ステップＳ２８）。この場合のセンサ５１は、ローディングしたディスク２が１２ｃｍディスクであるか又は、８ｃｍディスクであるかの判別に使用される。
【００６０】
ＣＰＵ１４は、センサ５１がＯＮであると判別すると、ローディングしたディスク２が１２ｃｍディスクである旨を示す情報をＲＡＭ１１に記憶する（ステップＳ２９）。
【００６１】
一方、センサ５１がＯＮでないと判別すると、ＣＰＵ１４は、ローディングしたディスク２が８ｃｍディスクである旨を示す情報をＲＡＭ１１に記憶する（ステップＳ３０）。
【００６２】
このように、ローディング処理により、ディスク２が的確にローディングされる。これは、上述の初期イジェクト処理にて、スライドバー５７が初期位置に戻されているためである。従って、ローディング処理は、初期イジェクト処理と相まって、ディスク２を安全にローディングすることができる。
【００６３】
次に、ディスク再生装置１が行うイジェクト処理について図７を参照して説明する。図７は、ディスク再生装置１内に格納したディスク２を排出するイジェクト処理を説明するためのフローチャートである。図７に示すイジェクト処理は、上述のローディング処理によりディスク２がローディングされた後に、開始する。
【００６４】
まず、ＣＰＵ１４は、ディスク排出キー４３が押下されるまで処理を待機する（ステップＳ３１）。すなわち、ＣＰＵ１４は、ディスク排出キー４３が押下されたことを示す信号が、Ｉ／Ｏポート１６を介して入力されるまで処理を待機する。
【００６５】
ＣＰＵ１４は、ディスク排出キー４３が押下されたと判別すると、エラータイマをセットする（ステップＳ３２）。
ＣＰＵ１４は、イジェクト方向にモータ３５を駆動させる（ステップＳ３３）。すなわち、ＣＰＵ１４は、ロードミュート出力部３３の出力を「Ｈｉ」にし、かつ、ローディング出力部３４の出力を「Ｈｉ」にすることにより、モータ３５をイジェクト方向に駆動させる。
【００６６】
ＣＰＵ１４は、イジェクトするディスク２が１２ｃｍディスクであるか否かを判別する（ステップＳ３４）。すなわち、ＣＰＵ１４は、ＲＡＭ１１に記憶されている情報が、１２ｃｍディスクであるか否かを判別する。
ＣＰＵ１４は、１２ｃｍディスクであると判別した場合、センサ５４がＯＦＦとなったか否かを判別する（ステップＳ３５）。すなわち、ＣＰＵ１４は、１２ｃｍディスク排出停止位置センサであるセンサ５４が、ディスク２の排出の完了を検出したか否かを判別する。
【００６７】
ＣＰＵ１４は、センサ５４がＯＦＦでないと判別した場合、ステップＳ３２にてセットしたエラータイマがタイムアップとなったか否かを判別する（ステップＳ３６）。ＣＰＵ１４は、タイムアップでないと判別した場合、上述のステップＳ３５に処理を戻す。
【００６８】
また、ステップＳ３４にて、１２ｃｍディスクでないと判別した場合、センサ５２，５３がＯＦＦとなったか否かを判別する（ステップＳ３７）。すなわち、ＣＰＵ１４は、８ｃｍディスク排出停止位置センサであるセンサ５２，５３が、ディスク２の排出の完了を検出したか否かを判別する。
ＣＰＵ１４は、センサ５２，５３がＯＦＦでないと判別した場合、ステップＳ３２にてセットしたエラータイマがタイムアップとなったか否かを判別する（ステップＳ３８）。ＣＰＵ１４は、タイムアップでないと判別した場合、上述のステップＳ３７に処理を戻す。
【００６９】
ＣＰＵ１４は、ステップＳ３６又は、ステップＳ３８にて、タイムアップであると判別した場合、モータ３５の駆動を停止させる（ステップＳ３９）。すなわち、ＣＰＵ１４は、ロードミュート出力部３３の出力を「Ｌｏｗ」にし、モータ３５の駆動を停止させる。
ＣＰＵ１４は、モータ３５の駆動を停止させると、表示部２０に所定のエラーメッセージ等を表示させ、イジェクト処理を異常終了させる。
【００７０】
また、ＣＰＵ１４は、ステップＳ３５又は、ステップＳ３７にて、センサ５４又は、センサ５２，５３がＯＦＦであると判別すると、モータ３５の駆動を停止させる（ステップＳ４０）。
このように、イジェクト処理により、ディスク２が的確にイジェクトされる。以上説明したように、この発明にかかるディスク再生装置は、ディスクを安全にローディングすることができる。
【００７１】
上記の実施の形態では、初期イジェクト処理をディスク再生装置１にＡＣ電源が供給された後、利用者による最初の電源投入時に開始したが、初期イジェクト処理の開始タイミングは、任意である。例えば、ディスク再生装置１にＡＣ電源が供給された際のパワーオン・リセット時に、初期イジェクト処理を開始してもよい。
【００７２】
上記の実施の形態では、スロットインタイプのディスク再生装置について説明したが、本発明は、このようなスロットインタイプのディスク再生装置に限られず、搬入機構と昇降機構とによりローディングを行うディスク再生装置にも適用可能である。
【００７３】
上記の実施の形態では、ＣＤを再生するディスク再生装置について説明したが、再生対象の媒体はＣＤに限られず、他にＭＤ（ミニディスク）、ＤＶＤ（デジタルビデオディスク）等を再生するディスク再生装置に適用可能である。また、スマートメディア（商標）、メモリステック（商標）等の媒体を再生可能な再生装置であってもよい。
【００７４】
なお、この発明のディスク再生装置は、専用のシステムによらず、ＣＤ−ＲＯＭ等を再生可能な通常のコンピュータシステムを用いて実現可能である。例えば、コンピュータに上述のいずれかを実行するためのプログラムを格納した媒体（フロッピーディスク、ＣＤ−ＲＯＭ等）から当該プログラムをインストールすることにより、上述の処理を実行するディスク再生装置を構成することができる。
【００７５】
また、コンピュータにプログラムを供給するための媒体は、通信媒体（通信回線、通信ネットワーク、通信システムのように、一時的かつ流動的にプログラムを保持する媒体）でも良い。例えば、通信ネットワークの掲示板（ＢＢＳ）に当該プログラムを掲示し、これをネットワークを介して配信してもよい。
そして、このプログラムを起動し、ＯＳの制御下で、他のアプリケーションプログラムと同様に実行することにより、上述の処理を実行することができる。
【００７６】
【発明の効果】
以上説明したように、本発明によれば、ディスクを安全にローディングすることができる。
【図面の簡単な説明】
【図１】本発明の実施の形態に係るディスク再生装置の外観の一例を示す斜視図である。
【図２】ディスク再生装置における主要部品が配置されたシャーシを上部から見た模式図である。
【図３】ディスク再生装置におけるディスク搬送機構の一部を側部から見た模式図である。
【図４】本発明の実施の形態に係るディスク再生装置の構成の一例を示すブロック図である。
【図５】本発明の実施の形態に係る初期イジェクト処理を説明するためのフローチャートである。
【図６】本発明の実施の形態に係るローディング処理を説明するためのフローチャートである。
【図７】本発明の実施の形態に係るイジェクト処理を説明するためのフローチャートである。
【図８】従来のディスク再生装置のディスクをローディングする様子を説明するための模式図であり、（ａ）がローディング開始状態を示し、（ｂ）がローディング終了状態を示す。
【符号の説明】
１    ディスク再生装置
２    ディスク
１０  マイクロコンピュータ
１１  ＲＡＭ
１２  ＲＯＭ
１３  クロック発生部
１４  ＣＰＵ
１５  表示駆動部
１６  Ｉ／Ｏポート
２０  表示部
３０  ディスク駆動部
３１  センサ入力部
３２  スイッチ入力部
３３  ロードミュート出力部
３４  ローディング出力部
３５  モータ
４０  キー入力部
４１  再生キー
４２  停止キー
４３  ディスク排出キー
【図１】
0003765699.tif 000002
【図２】
0003765699.tif 000003
【図３】
0003765699.tif 000004
【図４】
0003765699.tif 000005
【図５】
0003765699.tif 000006
【図６】
0003765699.tif 000007
【図７】
0003765699.tif 000008
【図８】
0003765699.tif 000009